(57)【特許請求の範囲】
【請求項１】
シチリン本体と、この本体の上端部に着脱自在に設置した受け座とを有し、前記シチリン本体は円筒状胴部の下端を閉塞すると共に上端を開口した金属板製の外側器体と、耐火性の素材で構成され、前記器体の円筒状胴部内を上下二つの室に仕切るようになして設けた燃料受皿と、上下端を開口した耐火・断熱性の円筒体で構成され、前記円筒状胴部との間に円筒状の空気室を形成して前記受皿上に載置固定して設けた燃焼筒と、前記空気室の上端部を閉塞すると共に前記円筒体の上端を開放して設けた金属板製の熱反射体とを有し、前記器体には前記下位側の室に位置させて開閉自在な空気取入口が形成され、前記受皿には前記下位側の室と前記燃焼筒内とを連通する複数個の空気導入孔が形成され、前記受け座は金属板で構成され、前記シチリン本体の上端内周面に係合する係合筒部と、この筒部の上端周縁に沿わせて形成され、シチリン本体の上端に当接して前記上端で支持させる水平フランジ部と、前記筒部の下端周縁に沿わせて形成した環状の五徳載置部と、この載置部の内側端に沿わせて形成した輪状の煮汁受皿とを有していることを特徴とするシチリン。
【請求項２】
請求項１記載のシチリンにおいて、前記受け座は前記水平フランジ部の外端周縁に沿わせて形成した筒状の垂下フランジ部を有していることを特徴とするシチリン。
【請求項３】
請求項１記載のシチリンにおいて、前記受け座は前記水平フランジ部の外側端近くに沿わせて形成した短筒状の囲い壁部を有し、この囲い壁部内の前記フランジ部の上面で焼網載置部が形成されていることを特徴とするシチリン。
【請求項４】
請求項３記載のシチリンにおいて、前記受け座は前記囲い壁部の上端周縁に沿わせてエンドレスに形成した水平壁部と、この水平壁部の外端周縁に沿わせて形成した筒状の垂下フランジ部とを有していることを特徴とするシチリン。
【請求項５】
前記シチリン本体の上端部には、内周面に沿わせて形成した環状の水平係合面が設けてあることを特徴とする請求項１，２，３又は４記載のシチリン。
【請求項６】
前記器体の円筒状胴部には、前記空気室と連通する複数個の通気孔が形成されていることを特徴とする請求項１，２，３，４又は５記載のシチリン。
【発明の詳細な説明】
【０００１】
【発明の属する技術分野】
本発明はシチリン、さらに詳しくは金属板製の外側器体内に耐火・断熱性の燃焼筒を設け、主に木炭を燃料とするシチリンに関するものである。
【０００２】
【従来の技術】
従来より、この種のシチリンとして種々の型式のものが開発されているが、従来のシチリンは煮汁受け用の捕集手段を備えていないため、調理中に鍋等の調理器から煮汁が溢れた際、この煮汁はシチリンの燃焼室内に直接流下し、或いは滴下する問題を有している。この場合、燃焼室内に煮汁が流下したり滴下すると、火力を弱めると共に燃料受皿等を腐蝕させる要因となる。
【０００３】
【発明が解決しようとする課題】
本発明は前記のような実情に鑑みてなされたもので、加熱調理を良好に行なうと共に煮汁が燃焼室へ流下し、或いは滴下するのを防止し得るシチリンを提供することを目的とするものである。
【０００４】
【課題を解決するための手段】
上記目的を達成するため本発明のうち請求項１記載の発明はシチリン本体と、この本体の上端部に着脱自在に設置した受け座とを有し、前記シチリン本体は円筒状胴部の下端を閉塞すると共に上端を開口した金属板製の外側器体と、耐火性の素材で構成され、前記器体の円筒状胴部内を上下二つの室に仕切るようになして設けた燃料受皿と、上下端を開口した耐火・断熱性の円筒体で構成され、前記円筒状胴部との間に円筒状の空気室を形成して前記受皿上に載置固定して設けた燃焼筒と、前記空気室の上端部を閉塞すると共に前記円筒体の上端を開放して設けた金属板製の熱反射体とを有し、前記器体には前記下位側の室に位置させて開閉自在な空気取入口が形成され、前記受皿には前記下位側の室と前記燃焼筒内とを連通する複数個の空気導入孔が形成され、前記受け座は金属板で構成され、前記シチリン本体の上端内周面に係合する係合筒部と、この筒部の上端周縁に沿わせて形成され、シチリン本体の上端に当接して前記上端で支持させる水平フランジ部と、前記筒部の下端周縁に沿わせて形成した環状の五徳載置部と、この載置部の内側端に沿わせて形成した輪状の煮汁受皿とを有していることを特徴とするものである。
【０００５】
このように構成すると、加熱調理中に鍋その他の調理器から煮汁が溢れた際、この煮汁は受け座の煮汁受皿で受け止められるので、燃焼筒の室内へ煮汁が流下し、或いは滴下するのを防止される。また、受け座はシチリン本体に着脱自在に設置されているので、洗浄がし易く、したがって、受け座を清潔に維持できる。
【０００６】
請求項２記載の発明は請求項１記載の発明において、前記受け座の水平フランジ部の外端周縁に沿わせて筒状の垂下フランジ部を形成したことを特徴とするものである。請求項３記載の発明は請求項１記載のシチリンにおいて、前記受け座は前記水平フランジ部の外側端近くに沿わせて形成した短筒状の囲い壁部を有し、この囲い壁部内の前記水平フランジ部で焼網載置部が形成されていることを特徴とするものである。この請求項３記載の発明のように構成すると、受け座上に焼網を安定して載置し、焼き調理用として利用できる。
【０００７】
請求項４記載の発明は請求項３記載の発明において、前記受け座は前記囲い壁部の上端周縁に沿わせてエンドレスに形成した水平壁部と、この水平壁部の外端周縁に沿わせて形成した筒状の垂下フランジ部とを有していることを特徴とするものである。
【０００８】
本発明においては、請求項５記載の発明のように、前記シチリン本体の上端部の内周面に沿わせて環状の水平係合面を形成することもできる。このように構成すると、受け座をフランジ本体から取り外して前記水平係合面に五徳を直接載置して使用することができる。
【０００９】
本発明においては、請求項６記載の発明のように前記器体の円筒状胴部に、前記空気室と連通する複数個の通気孔を形成することもできる。このように構成すると、前記通気孔が前記胴部の加熱を防止するための放熱用として作用する。
【００１０】
【発明の実施の形態】
以下、図面を参照して本発明の実施の形態の一例を説明する。図１は本発明のシチリンの一実施の形態を示す縦断面図、図２は同上シチリンの斜視図、図３は同上シチリンのシチリン本体と受け座を分離した状態の一部を示す縦断面図、図４は同上シチリンに五徳を載置した状態を示す斜視図、図５は同上シチリンに使用する五徳の一実施の形態を示す斜視図である。
【００１１】
これら図１〜図５においてこの実施の形態のシチリンは、シチリン本体１と、この本体１の上端部に着脱自在に設置した受け座２と、この受け座２上の所定部に載置する五徳３とを有している。
【００１２】
前記シチリン本体１は、外側器体１０と、この器体１０内に設けた燃料受皿２０と、この受皿２０上に設けた燃焼筒３０と、前記器体１０の上端部側に設けた熱反射体４０とを有している。
【００１３】
外側器体１０は金属板で構成され、所望の径及び高さを有する円筒状胴部１１を有し、この胴部１１の下端は底板１２で閉塞されていると共に上端を開口１３してなっている。この実施の形態では、胴部１１と底板１２を別体に形成し、底板１２を胴部１１の下端に固着１２ａしてあるが、胴部１１と底板１２とを一体形成することも可能である。
【００１４】
前記燃料受皿２０は金属板その他の耐火性の素材で構成され、前記器体１０の円筒状胴部１１内を上下二つの室１４，１５に仕切るようになして胴部１１内に水平に支持させて設けてある。この実施の形態では、胴部１１の内壁面に環状の係合凸条１６を形成し、この凸条１６に受皿２０の周縁を係合載置して設けてある。
【００１５】
前記燃焼筒３０は上下端を開口したセラミック材その他の耐火・断熱性の円筒体３１で構成され、前記器体１０の胴部１１との間に円筒状の空気室３２を形成して前記受皿２０上に載置固定して設けられ、円筒体３１内で燃焼室３３を構成してある。
【００１６】
前記器体１０の胴部１１には、前記受皿２０で仕切られた下位側の室１５に位置させて開閉自在な空気取入口１７が形成されている。また、この実施の形態の器体１０の胴部１１には、前記空気室３２と外部とを連通する複数個の通気孔１８が形成されている。この通気孔１８は胴部１１の過熱を防止するための放熱用として設けられている。１９は胴部１１に取り付けた提げ手、１２ｂは底板１２の下部に設けた脚台部を示す。
【００１７】
前記受皿２０には、前記下位側の室１５と燃焼筒３０の燃焼室３３内とを連通する空気導入孔２１が形成され、前記取入口１７から下位側の室１５に取入れた空気を導入孔２１を通して燃焼室３３内に導入させるように構成してある。また、受皿２０の上面には円筒体３１の円径と対応する大きさの短筒状の係合部２２が形成され、円筒体３１の下端の内周面を係合部２２に係合させて受皿２０上に載置するように構成してある。
【００１８】
前記熱反射体４０は金属板で構成され、燃焼筒３０と前記胴部１１との間の空気室３２の上端部を閉塞して設けられている。この熱反射体４０は、底部中央に燃焼筒３０の円筒体３１の内径とほぼ同径の円穴４１を形成し、この円穴４１で円筒体３１の上端を開放すると共に、円筒体３１の上端と前記器体１０の胴部１１の上端との間を閉塞する輪板状体４２を有している。また、この実施の形態の輪板状体４２は前記円穴４１の周縁部に沿わせて円筒体３１の内径とほぼ同径の嵌合用短筒４３が形成されている。そして、この輪板状体４２は前記短筒４３を円筒体３１の上端に嵌合すると共に上端部を胴部１１の上端に巻き締めその他の手段により固定４４して設けられている。これにより、燃焼筒３０は輪板状体４２で押さえられて受皿２０上に固定されている。
【００１９】
前記輪板状体４２には、円筒体３１の上端から前記胴部１１の上部側に掛けて凹状に湾曲しながら上方へ向けて拡張する環状の熱反射壁４５が形成されている。また、この実施の形態の熱反射体４０は前記熱反射壁４５の上端周縁に環状の水平面４６が形成され、この水平面４６により、シチリン本体１の上端部には、内周面に沿わせて環状の水平係合面が形成されている。このように構成すると、前記水平面４６（水平係合面）に五徳を直接載置して使用することができる。
【００２０】
前記受け座２は金属板で構成され、シチリン本体１の上端内周面（熱反射体４０の上端内周面）に係合する係合筒部５１と、この筒部５１の上端周縁に沿わせて形成され、シチリン本体１の上端に当接して、この上端で支持させる環状の水平フランジ部５２と、前記筒部５１の下端周縁に沿わせて形成した環状の五徳載置部５３と、この載置部５３の内側端に沿わせて形成した輪状の煮汁受皿５４とを有している。また、この実施の形態の受け座２は前記フランジ部５２の外端周縁に沿わせて垂下して形成した垂下フランジ部５５を有している。そして、受け座２は係合筒部５１をシチリン本体１の上端内周面（熱反射体４０の上端内周面）に係合すると共にフランジ部５２の下面をシチリン本体１の上端に当接して支持させて、着脱自在に設置されている。
【００２１】
前記五徳３は金属杆で構成され、受け座２の上部側に載置して使用するもので、この実施の形態の五徳３は前記五徳載置部５３と対応する大きさの円形リング部６１と、このリング部６１からほぼ垂直に立設した垂直杆６２の上端をリング部６１の中心方向へ向けてほぼ水平に折曲して形成した任意数（図示で３個）の載架台部６３とを有してなっている。この五徳３は図４に示すように、前記リング部６１を五徳載置部５３に係合して載置し、やかん，鍋その他の調理器（図示せず）を載架台部６３に載せて加熱調理するものである。なお、五徳３は図１の状態から天地逆にして、載架台部６３を五徳載置部５３に係合して載置し、この状態で載架台部６３上に調理器を載せて使用することもできる。
【００２２】
この実施の形態のシチリンは上記のように構成したもので、加熱調理中に鍋その他の調理器から煮汁が溢れた際、この煮汁は受け座２の煮汁受皿５４で受け止められて皿５４内に溜められるので、燃焼室３３へ煮汁が流下し、或いは滴下するので防止できる。また、受け座２はシチリン本体１に着脱自在に設置されているので、洗浄が容易である。したがって、受け座を清潔に維持させることができる。
【００２３】
図６は本発明のシチリンに使用する五徳の他の実施の形態を示す平面図ａと側面図ｂである。この実施の形態の五徳３Ａは金属杆で構成され、前記五徳載置部５３と対応する大きさの円形リング部６４と、このリング部６４からほぼ垂直に立設した垂直杆６５の上端をリング部６４の中心方向へ向けてほぼ水平に折曲して形成した任意本数（図示では３本）の適当な長さの載架台杆６６と、これらの各杆６６の先端部を連結するように、各杆６６の下部側に固着して設けた補強用リング６７と、このリング６７と前記リング部６４との中間部に位置させて前記各杆６６の下部側に固着して設けた補強用リング６８とを有してなっている。
【００２４】
図６に示す五徳３Ａは前記のように構成したもので、この五徳３Ａは前記五徳３と同様に受け座２の五徳載置部５３に係合載置して使用するものである。なお、本発明において、五徳は図示の構成のものに限定するものではなく、他の任意の構成に適宜変更可能なものであり、要は五徳載置部５３に係合して載置し、その上に鍋その他の調理器を載せるように構成すればよいものである。
【００２５】
図７は本発明のシチリンの他の実施の形態を示す縦断面図、図８は同上シチリンの斜視図、図９は同上シチリンに五徳を載置した状態を示す斜視図、図１０は同上シチリンに焼網を載置した状態を示す斜視図、図１１は同上シチリンの受け座を示す縦断面図である。
【００２６】
この実施の形態のシチリンはシチリン本体１の上端部に着脱自在に設置する受け座２の構成に特徴がある。即ち、受け座２は前記係合筒部５１の上端周縁に沿わせて形成した前記水平フランジ部５２と同様の水平フランジ部５２Ａの外端近くに沿わせ形成し短筒状の囲い壁部５６を有し、この囲い壁部５６内の前記フランジ部５２Ａの上面で焼網４を載置する焼網載置部を形成してある。また、この実施の形態の受け座２は前記囲い壁部５６の上端周縁に沿わせてエンドレスに形成した水平壁部５２Ｂと、この壁部５２Ｂの外端周縁に沿わせて形成した垂下フランジ部５５Ａとを有している。
【００２７】
この実施の形態の前記囲い壁部５６はほぼ四角形の短筒状に形成され、四角形状の焼網４を係合させるように構成してあるが、囲い壁部５６は円形状に形成して円形状の焼網を係合して載置させるように構成してもよいこと勿論である。他の構成は図１〜図５の実施の形態と同一であるため、同一構成部分に同一符号を付して説明を省略する。
【００２８】
この実施の形態のシチリンは上記のように構成したもので、焼網４を前記焼網載置部に載置して使用できる以外は前述の実施の形態と全く同様に使用するものであり、作用についても同様である。
【００２９】
【発明の効果】
本発明によれば加熱調理を良好に行なえると共に調理器から煮汁が溢れても、この煮汁が燃焼室内へ流下し、或いは滴下するのを防止できる。また、受け座はシチリン本体に着脱自在に設置するように構成したので、洗浄がし易く、したがって、受け座を清潔に維持することができる。
【図面の簡単な説明】
【図１】本発明のシチリンの一実施の形態を示す縦断面図。
【図２】同上シチリンの斜視図。
【図３】同上シチリンのシチリン本体と受け座を分離した状態の一部を示す縦断面図。
【図４】同上シチリンに五徳を載置した状態を示す斜視図。
【図５】同上シチリンに使用する五徳の一実施の形態を示す斜視図。
【図６】同上シチリンに使用する五徳の他の実施の形態を示す平面図ａと側面ｂ。
【図７】本発明のシチリンの他の実施の形態を示す縦断面図。
【図８】図７に示すシチリンの斜視図。
【図９】同上シチリに五徳を載置した状態を示す斜視図。
【図１０】同上シチリンに焼網を載置した状態を示す斜視図。
【図１１】同上シチリンの受け座を示す縦断面図。
【符号の説明】
１    シチリン本体
２    受け座
１０  外側器体
１１  円筒状胴部
１２  底板
１４  上位側の室
１５  下位側の室
２０  燃料受皿
３０  燃焼筒
３２  空気室
４０  熱反射体
５１  係合筒部
５２  水平フランジ部
５３  五徳載置部
５４  煮汁受皿
【図１】
0003684923.tif 000002
【図２】
0003684923.tif 000003
【図３】
0003684923.tif 000004
【図４】
0003684923.tif 000005
【図５】
0003684923.tif 000006
【図６】
0003684923.tif 000007
【図７】
0003684923.tif 000008
【図８】
0003684923.tif 000009
【図９】
0003684923.tif 000010
【図１０】
0003684923.tif 000011
【図１１】
0003684923.tif 000012